(57)【要約】      （修正有）【課題】構造が簡単で、低コストで製造できるとともに、持ち運ぶ際には収納状態を確実に保持でき、物品を取り出す際には多数の物品から選択的に任意のものを簡単に取り出すことができる包装箱を提供する。【解決手段】外箱１２と、複数個の内箱１４と、外箱１２の横向き開口に対向する背面側の側壁２２３に横方向に貫通して穿設された押出用孔１６とを含む。外箱１２は、１対の対向側壁２２２、２２３を有した閉鎖箱からなり、対向側壁の一方２２２を開閉可能な開閉側壁１８として開放時に横向き開口を形成する。内箱１４は物品の収納空間を有する中空箱からなり、複数個を段積みした状態で嵌合状に外箱１２内に収容され、外箱１２の開閉側壁１８を開放した際にその横向き開口から個別に引き出し及び押し入れ可能。【選択図】図１
0003160827.tif 000002
【実用新案登録請求の範囲】
【請求項１】
少なくとも１対の対向側壁を有しその対向方向に直交する断面形状が一定となる中空空間を形成した閉鎖箱からなり、対向側壁の一方を開閉可能な開閉側壁として開放時に横向き開口を形成する外箱と、
外箱よりも小さな大きさで形成され物品の収納空間を有する中空箱からなり、複数個を直接段積みした状態で嵌合状に外箱の中空空間に収容され、外箱の開閉側壁を開放した際にその横向き開口から個別に引き出し及び押し入れ可能な複数個の内箱と、
外箱の開閉側壁を開放した際の横向き開口に対して背面側から段積みされた内箱を選択的に押し出しスライド操作させるように、外箱の横向き開口に対向する背面側の側壁に横方向に貫通して穿設された押出用孔と、を含むことを特徴とする包装箱。
【請求項２】
押出用孔は、それぞれの内箱の段積み上下位置に対応して離隔配列された複数の孔からなる請求項１記載の包装箱。
【請求項３】
押出用孔は、それぞれの内箱の段積み上下位置に跨って連続した１個の長孔からなる請求項１又は２記載の包装箱。
【請求項４】
外箱の１対の対向側壁の両方を開閉側壁で構成し、それらの対向している両方の開閉側壁に押出用孔を設けた請求項１ないし３のいずれかに記載の包装箱。
【考案の詳細な説明】
【技術分野】
【０００１】
本考案は、多数の物品を収納して販売、運搬、保管するのに便利であるとともに、物品を簡単に出し入れすることができる複数段の内箱を有する包装箱に関する。
【背景技術】
【０００２】
従来から、インスタントの味噌汁、お菓子、缶詰等の飲食品、又は石けんやシャンプー等の日用品、同一又は数種類の多数の商品を一つの紙箱に詰め合わせた箱入りの販売形態があり、贈答用として好んで購入されることが多い。詰め合わせる商品の数が多い場合には広い箱を必要とするが、場所をとるので持ち運んだり保管するのに不便で、置き場所に困ることもあった。そこで、複数の箱又は引出しを段状に重ねて外箱に収容させた多段構造の包装箱を利用することも考えられている。この場合、各段ごとに種類を変えて収納することで多数の商品が整理され、消費者が商品を取り出す際などに便利であった。
【０００３】
一方、例えば特許文献１には、ティッシュペーパーを段積み状態で収納できるティッシュペーパー収納箱が提案されている。この収納箱１は、上面にティッシュペーパーボックス６を入れるための開口２を、下面にティシュペーパー取り出し用のスリット３を設け、片側面であって最下段の箱の位置に押し出し孔４を、反対側面であって最下段の箱の位置に使用済みのボックス６の取り出し口５を設けたものであった。なお、符号は、特許文献１記載のものである。
【先行技術文献】
【特許文献】
【０００４】
【特許文献１】実用新案登録第３１０１３９０号公報
【考案の概要】
【考案が解決しようとする課題】
【０００５】
複数の内箱を段積みにして外箱の中に収容し、内箱を引出しのように出し入れするような包装箱では、段積みされた内箱に指を掛けるスペースがなく、引き出し操作しにくいものであった。また、内箱に引出し操作用の把手などを設けると、構造が複雑化して製造工程も煩雑となり、コストが高くなってしまう問題があった。また、内箱に指を掛けるためのくり抜き穴を形成することも考えられるが、内箱はダンボール紙などで設けられているので穴を形成すると該内箱の強度が弱くなるうえ、見栄えも劣り、さらにコストも高くなってしまう問題があった。また、重箱のように複数の箱を単に積み重ねた構造でも、下方の段の箱に収容された商品を取り出す際には上の段の箱を除ける必要があり、操作が煩雑で使い勝手が悪かった。また、仮に特許文献１の収納箱のような構造を飲食品等の包装用として利用したとしても、段積みされた中段の内箱に収容した商品を取り出す際には、いちいち下段側から箱を順次取り出して箱を落下させていく必要があり、操作が極めて煩雑なものであった。同時に、内箱を落下させるので内部の物品が割れたり、壊れたりして品質低下を招くおそれがあった。また、収納箱全体を持ち運ぶ際に、取り出し口５から内箱が不意に飛び出て、中の物品がこぼれてしまうおそれもあった。よって、特許文献１の構造では、飲食品等の物品を収納する包装箱としては使い勝手が悪く実用性に劣るものであった。
【０００６】
本考案は上記従来の課題に鑑みてなされたものであり、その一つの目的は、多数の物品を効率良く収納できる段構造の包装箱であって、構造が簡単で、低コストで製造できるとともに、持ち運ぶ際には中身が落ちないように収納状態を確実に保持でき、物品を取り出す際には多数の物品から選んで簡単に取り出すことができる包装箱を提供することにある。
【課題を解決するための手段】
【０００７】
上記課題を解決するために本考案は、少なくとも１対の対向側壁（２２２、２２３）を有しその対向方向（Ｘ）に直交する断面形状が一定となる中空空間を形成した閉鎖箱からなり、対向側壁の一方（２２２）を開閉可能な開閉側壁１８として開放時に横向き開口２０を形成する外箱１２と、外箱１２よりも小さな大きさで形成され物品Ｇの収納空間を有する中空箱からなり、複数個を直接段積みした状態で嵌合状に外箱１２の中空空間に収容され、外箱１２の開閉側壁１８を開放した際にその横向き開口２０から個別に引き出し及び押し入れ可能な複数個の内箱１４と、外箱１２の開閉側壁１８を開放した際の横向き開口２０に対して背面側から段積みされた内箱１４を選択的に押し出しスライド操作させるように、外箱１２の横向き開口２０に対向する背面側の側壁（２２３）に横方向に貫通して穿設された押出用孔１６と、を含むことを特徴とする包装箱１０から構成される。
【０００８】
また、押出用孔１６は、それぞれの内箱１４の段積み上下位置に対応して離隔配列された複数の孔（２８１〜２８３）からなることとしてもよい。
【０００９】
また、押出用孔１６は、それぞれの内箱１４の段積み上下位置に跨って連続した１個の長孔３０からなることとしてもよい。
【００１０】
また、外箱１２の１対の対向側壁（２２２、２２３）の両方を開閉側壁１８ａ、１８ｂで構成し、それらの対向している両方の開閉側壁１８ａ、１８ｂに押出用孔１６を設けたこととしてもよい。
【考案の効果】
【００１１】
本考案の包装箱によれば、少なくとも１対の対向側壁を有しその対向方向に直交する断面形状が一定となる中空空間を形成した閉鎖箱からなり、対向側壁の一方を開閉可能な開閉側壁として開放時に横向き開口を形成する外箱と、外箱よりも小さな大きさで形成され物品の収納空間を有する中空箱からなり、複数個を直接段積みした状態で嵌合状に外箱の中空空間に収容され、外箱の開閉側壁を開放した際にその横向き開口から個別に引き出し及び押し入れ可能な複数個の内箱と、外箱の開閉側壁を開放した際の横向き開口に対して背面側から段積みされた内箱を選択的に押し出しスライド操作させるように、外箱の横向き開口に対向する背面側の側壁に横方向に貫通して穿設された押出用孔と、を含むことから、段積みされた内箱が外箱内にほとんど隙間なく収容された構造であっても、所望の段の内箱を背面側の押出用孔を介して押し出すことによってずらして、横向き開口側からスムーズに引き出すことができ、簡単、スムーズに物品を取り出すことができる。よって、操作性が良く、実用的である。特に、外箱の側壁に押出用孔を形成するだけで実現できるので、把手等を取り付ける構造と比較して極めて簡単な構造で、低コストで製造することができる。さらに、持ち運ぶ際には、外箱を閉鎖しておけるので内箱が飛び出して物品がばらけたり、こぼれたりすることがなく運搬性が良い。
【００１２】
また、押出用孔は、それぞれの内箱の段積み上下位置に対応して離隔配列された複数の孔からなる構成とすることにより、それぞれの孔が離隔しているので、誤って他の段の内箱を押圧操作したりすることがなく、所望の段の内箱のみを確実に押圧操作することができる。
【００１３】
また、押出用孔は、それぞれの内箱の段積み上下位置に跨って連続した１個の長孔からなる構成とすることにより、必要に応じて１個の内箱のみを押圧操作したり、複数の内箱を同時に押圧操作したりすることができる。
【００１４】
また、外箱の１対の対向側壁の両方を開閉側壁で構成し、それらの対向している両方の開閉側壁に押出用孔を設けた構成とすることにより、必要に応じて内箱の引き出し方向を変更して商品を取り出すことができるので使い勝手がよい。
【図面の簡単な説明】
【００１５】
【図１】本考案の第１の実施形態に係る包装箱の背面側から見た斜視図である。
【図２】図１の包装箱の正面側から見た斜視図である。
【図３】図１の包装箱のＡ−Ａ線断面図である。
【図４】図１の包装箱の内箱の斜視説明図である。
【図５】図１の包装箱の作用説明図である。
【図６】図１の包装箱の作用説明図である。
【図７】本考案の第２の実施形態に係る包装箱の斜視図である。
【図８】本考案の第３の実施形態に係る包装箱の斜視図である。
【考案を実施するための形態】
【００１６】
以下、添付図面を参照しつつ本考案の包装箱の実施の形態について説明する。本実施形態の包装箱は、例えば、お菓子、インスタントの味噌汁、お吸い物、海苔、漬物、缶詰、コーヒー、お茶、紅茶、ジュース等の飲食品、油、醤油、塩、砂糖、胡椒等の調味料、石けん、シャンプー、リンス、タオル等の日用品、化粧品等、その他任意の物品を収納できる包装箱であり、消費者側が購入した後でも物品の収納用の箱としてそのまま利用できる。図１ないし図６は、本考案の包装箱の第１の実施形態を示している。図１、図２、図３に示すように、本実施形態において、包装箱１０は、開閉側壁１８を形成した外箱１２と、段積みした状態で外箱１２に収容される複数個の内箱１４と、外箱１２の開閉側壁１８に対向する背面側の側壁に設けられた押出用孔１６と、を備えている。
【００１７】
図１、図２、図３に示すように、外箱１２は、内部に複数個の内箱１４を収容する中空空間を形成した大型中空箱であり、全体を閉鎖した閉鎖箱からなる。図５、図６に示すように、外箱１２は、少なくとも１つの側壁を開閉可能な開閉側壁１８として形成され、該開閉側壁１８の開放時には中空空間を内外に連通させる横向き開口２０を形成させる開閉蓋付きの箱となっている。本実施形態では、外箱１２は、例えば、矩形箱状に形成されており、矩形状の下面壁２２１と、下面壁２２１の四辺に沿って立てて配置される４つの矩形状の側壁２２２〜２２５と、上面を閉鎖するように下面と平行に配置された矩形状の上面壁２２６と、を含み、それらの６つの壁体の内部に直方体状の中空空間が形成される。外箱１２は、下面壁２２１と上面壁２２６、正面側壁２２２と背面側壁２２３、及び左面側壁２２４と右面側壁２２５がそれぞれ平行して対向している。例えば、下面壁２２１、側壁２２２〜２２５、上面壁２２６の６つの壁体は一体的に形成されており、１枚の厚紙を箱の展開形状に加工し、所定の位置で折り曲げ、接着等して箱形状に形成されている。正面側壁２２２は、下面壁２２１と一体的に連接され折り目をヒンジ部２３として該正面側壁の全体を開閉可能となっている。すなわち、正面側壁２２２が開閉側壁１８となっており、開放時には該１つ側壁全面を開口して横向き開口２０を形成し（図５参照）、閉鎖時には横向き開口２０を全閉鎖する。正面側壁２２２の上面壁２２６側となる自由端側には、挿入片２２２ａが一体的に形成されており、該挿入片２２２ａを横向き開口２０の上辺側に挿脱させて簡単に開閉操作できるとともに、挿入させた際には閉鎖状態を保持できる。正面側壁２２２を開放した際に形成される横向き開口２０が内箱１４の出し入れ開口となり、横向き開口２０と背面側壁２２３との対向方向Ｘが内箱１４の引き出し及び押し入れ方向となる。外箱１２は上記のような矩形箱状となっているので、対向方向Ｘすなわち内箱の出し入れ方向と直交する断面形状が一定となっており、内箱１４の引き出し又は押し入れ操作をスムーズに行えるようになっている。図６に示すように、左右側壁２２４，２２５の正面側壁２２２側で横向き開口２０を形成している辺には、内フラップ２６１、２６２が一体的に連接されている。これらの内フラップ２６１、２６２は、正面側壁２２２を閉鎖する際には、横向き開口２０を閉鎖するように中に折り込まれ、開放した際には横向き開口２０を開くようにそれぞれ開放される。背面側壁２２５は、正面側壁２２２と同様な構造となっており、上面壁２２６に一体的に連接され開閉可能な構造となっている。
【００１８】
図１、図３、図４に示すように、内箱１４は、内部に物品Ｇの収納空間を有し、外箱１２よりも小さな大きさで形成された小型中空箱であり、複数個を直接段積みされた状態で外箱１２の中空空間に嵌合状に完全収容される。さらに、図５、図６に示すように、内箱１４は、外箱１２の開閉側壁１８すなわち正面側壁２２２を開放した際にその横向き開口２０から個別に引き出し及び押し入れできるようになっている。本実施形態では、図１、図３に示すように、内箱１４は、例えば、外箱１２の中空空間を縦に３分割した大きさとなっている。すなわち各々の内箱１４は、外形平面輪郭が外箱の中空空間の横断面形状と略同じ大きさの矩形形状で、高さが外箱の中空空間の高さの略３分の１程度となる小型矩形状箱からなり、同じ形状、同じサイズの３個の内箱１４１〜１４３が段積みされて（下から順に１４１〜１４３）外箱１２の中空空間内にほとんど隙間なく嵌合状に収容される。図４に示すように、内箱１４は、例えば、矩形状の底壁２４１と、底壁の四辺に沿って立てて配置された４つの側壁２４２〜２４５と、を有し、それらの壁体で囲まれた空間を物品Ｇの収納空間として上面側を開口した有底箱で形成されている。内箱１４１〜１４３の底面２４１は平面となっている。４つの側壁２４２〜２４５は、小幅であるがある程度の肉厚で形成され、上端面が平面に形成されている。よって、３個の内箱１４１〜１４３を直接段積みした段積みした状態で、下段側の内箱の側壁２４２〜２４５の上端面と上段側の内箱の底壁２４１とを係合させながら互いに引き出し方向（Ｘ）に沿って引き出し、押し入れスライド可能となっている。したがって、レール等がない構造でも、複数段の内箱の引き出し構造を実現でき、包装箱１０を簡単な構造で低コストで製造できる。内箱１４１〜１４３は、例えば、下面壁２２１、側壁２２２〜２２５の５つの壁体が一体的に形成されており、１枚の厚紙を箱の展開形状に加工し、所定の位置で折り曲げ等して箱形状に形成されている。内箱１４の収納空間内には、例えば、１枚の厚紙を加工して形成された仕切り３２が配置されており、複数の物品Ｇを列状に並べて収納できるようになっている。なお、内箱１４の個数は、３個に限らず、２個、又は４個以上の複数個でもよい。また、内箱１４は、全て同じサイズに限らず、例えば、段ごとに高さを変更して形成してもよい。
【００１９】
押出用孔１６は、外箱１２の背面側壁２２３に横方向に貫通して穿設されており、外箱の外側と中空空間とを連通している。押出用孔１６は、図５、図６に示すように、開閉側壁１８としての正面側壁２２１が開放された際に形成される横向き開口２０に対向する背面側壁２２３に形成され、内箱１４１〜１４３を引き出し操作する際に、横向き開口２０に対して背面側から段積みされた内箱１４１〜１４３を選択的に押し出しスライド操作するための操作孔である。上述のように段積みされた内箱１４１〜１４３は外箱１２の中空空間内にほとんど隙間なく嵌合状に収容されているので、任意の段の内箱を引き出し操作する際に手をかける隙間がなく、横向き開口２０側からはスムーズに操作することが困難である。しかしながら、本実施形態では、背面側壁２２３に押出用孔１６を設けることで、図５に示すように、背面側から引き出す対象の内箱を指で押圧することにより、該内箱を外側に押し出してずらした後、横向き開口２０側から簡単に引き出し操作することができる。また、側壁に孔を設けるだけでよいので、把手などを設けるよりも極めて簡単、単純な構造であり、製造コストも安価である。本実施形態では、図１、図３に示すように、押出用孔１６は、それぞれの内箱１４１〜１４３の段積み上下位置に１対１に対応して離隔配列された３個の孔２８１〜２８３からなる。押出用孔１６は、例えば、手指が自在に入る程度の大きさの円形孔で形成されている。それぞれの押出用孔１６は、例えば、各内箱１４１〜１４３の背面側の側壁２４５の略中心位置に対応して設けられており、内箱に均等に押圧力をかけて安定的に押し出しできるようになっている。なお、押出用孔の個数は内箱に対応した個数で形成されてもよい。また、円形孔に限らず、四角形孔や三角形の孔等、任意の形状でもよい。押出用孔１６は、例えば、外箱１２を１枚の厚紙から形成する際に、展開形状での加工と同時に穿穴されて形成される。
【００２０】
なお、外箱１２は、矩形箱状に限らず、例えば、対向側壁が三角形状、多角形状となる三角筒状の箱、多角形筒状の箱等、その他、対向方向に直交する断面形状が一定となる中空空間を形成した閉鎖箱で、少なくとも一方が開閉側壁となるものであれば任意の形状、大きさでもよい。また、内箱１４は、例えば、１つの外箱１２の中に段積みした複数個の内箱を複数列並べた状態で嵌合状に収容する構成としてもよい。例えば、上記の実施形態で、各内箱の幅方向を半分として、３段２列で外箱内に収容するようにしてもよい。この際、それぞれの内箱に対応して押出用孔１６を設けても良い。
【００２１】
次に、本実施形態に係る包装箱１０の作用について説明する。それぞれの内箱１４内に、例えば、飲食品等の物品Ｇを多数個収納させ、それらの内箱を直接段積みした状態で外箱１２内に嵌合状に収納する。物品Ｇを収納する際には、例えば、下から１段目の内箱１４１にはＡ物品ＧＡ、２段目の内箱１４２にはＢ物品ＧＢ、一番上段の３段目の内箱１４３にはＣ物品ＧＣというように、異なる種類の物品を別々に整理して収納することができる。そして外箱１２は、開閉側壁１８としての正面側壁２２２を閉鎖しておく（図６（ａ））。この外箱１２への収納状態で保管、出荷及び販売される。外箱１２は６面全て閉鎖されているので、搬送中や消費者が購入して持ち帰る際に、内箱１４が飛び出したり中身の物品Ｇがばらけて落としてしまったりすることがなく、確実な収納状態を保持できる。消費者が物品Ｇを取り出す際には、図６（ｂ）に示すように、正面側壁２２２を開放し、内フラップ２６１、２６２を広げて、横向き開口２０をあける。そして、図５にも示すように、例えば、２段目の内箱１４２内の物品ＧＢを取り出すには、中段の押出用孔１６（２８２）に指を入れて該２段目の内箱１４２を強制的に押圧し、横向き開口２０から外に押し出しスライドさせる。そして、横向き開口２０側から該ずれた２段目の内箱１４２を引き出して内部の物品ＧＢを必要な数取り出すことができる。これにより、段積みされた内箱１４１〜１４３が外箱１２内にほとんど隙間なく収容された構造であっても、内箱を簡単かつスムーズに引き出し操作することができる。同様に、１段目の内箱１４１又は３段目の内箱１４３から物品を取り出す場合にも押出用孔１６を介してスムーズに内箱を引き出して物品を取り出すことができる（図６（ｃ））。物品を取り出した後は、内箱１４２を外箱内側に向けて押し入れて収納させ、再び正面側壁２２２を閉鎖する。このような側壁の開閉及び、内箱の引き出し、押し入れ操作を繰返しながら利用することができる。なお、上記では内箱から物品を取り出す操作を説明したが、逆に内箱に物品を収納する場合にも上記と同じような操作で簡単に行なえる。
【００２２】
次に、図７を参照しつつ、本発明の第２実施形態の包装箱１０−２について説明する。上記した第１実施形態と同一構成、同一部材には、同一符号を付し、その詳細な説明は省略する。図７に示すように、本実施形態でも第１実施形態同様に、包装箱１０−２は、外箱１２と、内箱１４と、押出用孔１６と、を含む。本実施形態では、押出用孔１６は、内箱の個数に応じた個数で孔を設ける態様ではなく、それぞれの内箱１４１〜１４３の段積み上下位置に跨って連続した１個の長孔３０で形成されている。これにより、例えば、１個の内箱のみを押圧操作して引き出すことができるとともに、必要に応じて全ての内箱を引き出そうする際に複数の内箱を同時に押圧操作したりすることもできる。なお、背面側壁２２３に複数の孔２８１〜２８３と長孔３０を並べて形成してもよい。
【００２３】
次に、図８を参照しつつ、本発明の第３実施形態の包装箱１０−３について説明する。上記した第１実施形態と同一構成、同一部材には、同一符号を付し、その詳細な説明は省略する。図８に示すように、本実施形態でも第１実施形態同様に、包装箱１０−２は、外箱１２と、内箱１４と、押出用孔１６と、を含み、外箱１２の対向している正面側壁２２２と背面側壁２２３の両方が、開閉可能な開閉側壁１８ａ、１８ｂで構成されており、それぞれ開放時には横向き開口が形成される。本実施形態では、それらの対向している開閉側壁１８ａ、１８ｂとしての正面側壁２２２、背面側壁２２３の両方に、押出用孔１６（孔２８１〜２８３）が形成されている。これにより、例えば、正面側壁２２２を開放して内箱を引き出して物品Ｇを取り出した後、物品の残りが少なくなったら逆に反対側の背面側壁２２３を開放して押出用孔１６を介して内箱を逆方向にもスムーズに引き出して物品Ｇを取り出すこともできる。その結果、使い勝手を向上しうる。
【００２４】
以上説明した本考案の包装箱は、上記した実施形態のみの構成に限定されるものではなく、実用新案登録請求の範囲に記載した本考案の本質を逸脱しない範囲において、任意の改変を行ってもよい。
【産業上の利用可能性】
【００２５】
本考案の包装箱は、例えば、比較的小さな物品を多数個収納した状態で、販売、搬送、保管するのに好適であるとともに、消費者が購入した後でも保管しながら随時物品を簡単に取り出すことができる。
【符号の説明】
【００２６】
１０    包装箱
１２    外箱
１４    内箱
１６    押出用孔
１８    開閉側壁
２０    横向き開口
３０    長孔
Ｇ    物品
【図１】
0003160827.tif 000003
【図２】
0003160827.tif 000004
【図３】
0003160827.tif 000005
【図４】
0003160827.tif 000006
【図５】
0003160827.tif 000007
【図６】
0003160827.tif 000008
【図７】
0003160827.tif 000009
【図８】
0003160827.tif 000010